(57)【特許請求の範囲】
【請求項１】
燃料ガスと酸化剤ガスとの電気化学反応により発電する燃料電池と、
前記燃料電池に前記燃料ガスを供給する燃料ガス供給装置と、
前記燃料電池に前記酸化剤ガスを供給する酸化剤ガス供給装置と、
運転条件を算出するための目標電流値と前記燃料電池より電流を引くための電流指令値とを用いて燃料電池システムを制御する制御部と、
を備える燃料電池システムの運転制御方法であって、
前記燃料電池システムの起動時には、前記燃料電池に供給される前記燃料ガスの供給圧力を、前記燃料電池システムの起動完了後の前記燃料ガスの供給圧力よりも上昇させるとともに、
前記燃料ガスの圧力に応じて、前記運転条件である酸化剤ガス供給流量を算出するための前記目標電流値に電流制限をかけることを特徴とする燃料電池システムの運転制御方法。
【請求項２】
請求項１記載の運転制御方法であって、前記目標電流値の電流制限を行う際には、前記電流制限にレートリミットを設けることを特徴とする燃料電池システムの運転制御方法。
【請求項３】
請求項１又は２記載の運転制御方法であって、前記燃料電池システムの起動完了後で、前記目標電流値に対する電流制限から、前記燃料電池より電流を引くための前記電流指令値に対する電流制限に変更される際、急激な変化を抑制するためのレートリミットを設けることを特徴とする燃料電池システムの運転制御方法。
【請求項４】
請求項１〜３のいずれか１項に記載の運転制御方法であって、前記燃料ガスの圧力が高い程、不純物濃度が低い程、又は前記燃料ガスの濃度が高い程、前記電流制限を緩和させることを特徴とする燃料電池システムの運転制御方法。
【請求項５】
請求項１記載の運転制御方法であって、前記燃料電池システムの起動完了後には、前記燃料ガスの圧力に基づいて、前記燃料電池から電流を引くための前記電流指令値に電流制限をかけることを特徴とする燃料電池システムの運転制御方法。
【発明の詳細な説明】
【技術分野】
【０００１】
本発明は、燃料ガスと酸化剤ガスとの電気化学反応により発電する燃料電池、前記燃料ガスを供給する燃料ガス供給装置、及び前記酸化剤ガスを供給する酸化剤ガス供給装置を備える燃料電池システムの運転制御方法に関する。
【背景技術】
【０００２】
例えば、固体高分子型燃料電池は、高分子イオン交換膜からなる電解質膜の一方の面にアノード電極が、他方の面にカソード電極が、それぞれ配設された電解質膜・電極構造体（ＭＥＡ）を備えている。電解質膜・電極構造体は、セパレータによって挟持されることにより、発電セル（単位セル）が構成されている。通常、所定の数の発電セルを積層して構成された燃料電池スタックを組み込む燃料電池システムが、例えば、燃料電池車両（燃料電池電気自動車等）に搭載されている。
【０００３】
燃料電池システムでは、カソード側からアノード側に不純物（窒素ガス等）が透過する場合がある。このため、特に燃料電池システムの起動直後に、発電セルに供給される燃料ガス濃度が低下し、迅速に所望の発電性能を発揮することができないおそれがある。
【０００４】
そこで、例えば、特許文献１に開示されている燃料電池システムが知られている。この燃料電池システムの運転は、制限設定部と、運転制御部によって制御されている。制限設定部は、水素極に供給される気体中の不純物濃度に関連する所定のパラメータに応じて燃料電池システムの出力制限を設定している。運転制御部は、設定された出力制限を超えない範囲で発電するよう、水素供給部及び酸素供給部を制御している。
【０００５】
これにより、水素極に供給される気体中の不純物濃度に基づいて、出力を制限することができ、不純物濃度が高い場合に過度の発電を抑制することができ、燃料電池スタックへの損傷を低減することができる、としている。
【先行技術文献】
【特許文献】
【０００６】
【特許文献１】特開２００４−１７２０２６号公報
【発明の概要】
【発明が解決しようとする課題】
【０００７】
通常、燃料電池システムを制御するためには、運転条件であるガス供給量やガス圧力を設定するための目標電流値と、実際に燃料電池から電流を引くための電流指令値とが用いられている。
【０００８】
しかしながら、特許文献１の燃料電池システムでは、出力制限をかける場合に、目標電流値又は電流指令値のいずれに制限をかけるのかが不明である。このため、例えば、通常運転時に、目標電流値に制限をかけてしまうと、ガス供給量やガス圧力も制限されてしまう。従って、出力加速要求がなされた際であっても、所望の出力加速が得られないという問題がある。一方、電流指令値に制限をかけてしまうと、電流を引くことができないにも関わらず、酸化剤ガス（空気）が過剰に供給され、燃料電池内には、過乾燥状態（ドライアップ）が発生するという問題がある。しかも、カソード側の圧力が過大となり、前記カソード側の圧力とアノード側の圧力との極間差圧が大きくなり過ぎるという問題がある。
【０００９】
本発明は、この種の問題を解決するものであり、簡単な制御で、迅速に電流を引くことができ、しかも酸化剤ガスの過剰供給を抑制して良好な運転を継続することが可能な燃料電池システムの運転制御方法を提供することを目的とする。
【課題を解決するための手段】
【００１０】
本発明に係る運転制御方法が適用される燃料電池システムは、燃料電池と、前記燃料電池に燃料ガスを供給する燃料ガス供給装置と、前記燃料電池に酸化剤ガスを供給する酸化剤ガス供給装置と、運転条件を算出するための目標電流値と前記燃料電池より電流を引くための電流指令値とを用いて燃料電池システムを制御する制御部と、を備えている。燃料電池は、燃料ガスと酸化剤ガスとの電気化学反応により発電する。
【００１１】
燃料電池システムの起動時には、燃料電池に供給される燃料ガスの供給圧力を、前記燃料電池システムの起動完了後の前記燃料ガスの供給圧力よりも上昇させるとともに、前記燃料ガスの圧力に応じて、前記運転条件である酸化剤ガス供給流量を算出するための目標電流値に電流制限をかけている。
【００１２】
また、この運転制御方法では、目標電流値の電流制限を行う際には、前記電流制限にレートリミットを設けることが好ましい。
【００１３】
さらに、この運転制御方法では、燃料電池システムの起動完了後で、目標電流値に対する電流制限から、燃料電池より電流を引くための電流指令値に対する電流制限に変更される際、急激な変化を抑制するためのレートリミットを設けることが好ましい。
【００１４】
さらにまた、この運転制御方法では、燃料ガスの圧力が高い程、不純物濃度が低い程、又は前記燃料ガスの濃度が高い程、電流制限を緩和させることが好ましい。
【００１５】
また、この運転制御方法では、燃料電池システムの起動完了後には、燃料ガスの圧力に基づいて、燃料電池から電流を引くための電流指令値に電流制限をかけることが好ましい。
【発明の効果】
【００１６】
本発明によれば、燃料電池システムの起動時には、燃料電池に供給される燃料ガスの供給圧力を、通常運転時の前記燃料ガスの供給圧力よりも上昇させている。このため、燃料ガスのストイキを確保することができ、所望の電流値を素早く取り出すことが可能になる。しかも、燃料ガスの圧力に応じて、運転条件を算出するための目標電流値に電流制限をかけている。従って、酸化剤ガスが過剰に供給されることがなく、燃料電池の過乾燥状態（ドライアップ）を確実に抑制することができる。
【図面の簡単な説明】
【００１７】
【図１】本発明の実施形態に係る運転制御方法が適用される燃料電池システムの概略構成説明図である。
【図２】前記運転制御方法において、アノード圧力を上昇させる際のタイムチャートである。
【図３】前記運転制御方法において、目標電流値に電流制限をかける際のタイムチャートである。
【図４】前記運転制御方法において、アノード圧力を上昇させる際の別のタイムチャートである。
【図５】従来の運転制御方法において、電流指令値に電流制限をかける際のタイムチャートである。
【発明を実施するための形態】
【００１８】
図１に示すように、本発明の実施形態に係る運転制御方法が適用される燃料電池システム１０は、例えば、燃料電池電気自動車等の燃料電池車両（図示せず）に搭載される。
【００１９】
燃料電池システム１０は、燃料電池スタック１２を備える。燃料電池スタック１２には、燃料ガスである、例えば、水素ガスを供給する燃料ガス供給装置１４と、酸化剤ガスである、例えば、空気を供給する酸化剤ガス供給装置１６と、冷却媒体を供給する冷却媒体供給装置１８とが設けられる。燃料電池システム１０は、さらにエネルギ貯蔵装置であるバッテリ２０と、システム制御装置である制御部２２とを備える。
【００２０】
燃料電池スタック１２は、複数の発電セル２４が水平方向又は鉛直方向に積層される。発電セル２４は、電解質膜・電極構造体２６を第１セパレータ２８及び第２セパレータ３０で挟持する。第１セパレータ２８及び第２セパレータ３０は、金属セパレータ又はカーボンセパレータにより構成される。
【００２１】
電解質膜・電極構造体２６は、例えば、水分が含まれたパーフルオロスルホン酸の薄膜である固体高分子電解質膜３２と、前記固体高分子電解質膜３２を挟持するアノード電極３４及びカソード電極３６とを備える。固体高分子電解質膜３２は、フッ素系電解質の他、ＨＣ（炭化水素）系電解質が使用される。
【００２２】
第１セパレータ２８は、電解質膜・電極構造体２６との間に、アノード電極３４に水素ガスを供給するための水素ガス流路３８を設ける。第２セパレータ３０は、電解質膜・電極構造体２６との間に、カソード電極３６に空気を供給するための空気流路４０を設ける。互いに隣接する第１セパレータ２８と第２セパレータ３０との間には、冷却媒体を流通させるための冷却媒体流路４２が設けられる。
【００２３】
燃料電池スタック１２には、水素ガス入口４４ａ、水素ガス出口４４ｂ、空気入口４６ａ、空気出口４６ｂ、冷却媒体入口４８ａ及び冷却媒体出口４８ｂが設けられる。水素ガス入口４４ａは、各発電セル２４の積層方向に貫通するとともに、水素ガス流路３８の供給側に連通する。水素ガス出口４４ｂは、各発電セル２４の積層方向に貫通するとともに、水素ガス流路３８の排出側に連通する。水素ガス流路３８、水素ガス入口４４ａ及び水素ガス出口４４ｂにより、アノード流路が構成される。
【００２４】
空気入口４６ａは、各発電セル２４の積層方向に貫通するとともに、空気流路４０の供給側に連通する。空気出口４６ｂは、各発電セル２４の積層方向に貫通するとともに、空気流路４０の排出側に連通する。空気流路４０、空気入口４６ａ及び空気出口４６ｂにより、カソード流路が構成される。
【００２５】
冷却媒体入口４８ａは、各発電セル２４の積層方向に貫通するとともに、冷却媒体流路４２の供給側に連通する。冷却媒体出口４８ｂは、各発電セル２４の積層方向に貫通するとともに、冷却媒体流路４２の排出側に連通する。
【００２６】
燃料ガス供給装置１４は、高圧水素を貯留する水素タンク５０を備え、この水素タンク５０は、水素ガス供給路５２を介して燃料電池スタック１２の水素ガス入口４４ａに連通する。水素ガス供給路５２は、燃料電池スタック１２に水素ガスを供給する。
【００２７】
水素ガス供給路５２には、インジェクタ５４及びエゼクタ５６が直列に設けられるとともに、前記インジェクタ５４及び前記エゼクタ５６を跨いでバイパス供給路５８が接続される。バイパス供給路５８には、ＢＰ（バイパス）インジェクタ６０が設けられる。ＢＰインジェクタ６０は、燃料電池スタック１２の始動時や高負荷発電が要求された際等に、高濃度な水素を供給するために使用されるサブインジェクタである一方、インジェクタ５４は、通常の発電時に主として使用されるメインインジェクタである。
【００２８】
燃料電池スタック１２の水素ガス出口４４ｂには、水素ガス排出路（オフガス配管）６２が連通する。水素ガス排出路６２は、アノード電極３４で少なくとも一部が使用された水素ガスである水素排ガスを、燃料電池スタック１２から導出する。水素ガス排出路６２には、気液分離器６４が接続されるとともに、前記気液分離器６４の下流から分岐する水素循環流路６６を介してエゼクタ５６が接続される。水素循環流路６６には、水素ポンプ６８が設けられる。水素ポンプ６８は、特に起動時に、水素ガス排出路６２に排出された水素排ガスを、水素循環流路６６を通って水素ガス供給路５２に循環させる。
【００２９】
水素ガス排出路６２の下流には、パージ流路７０の一端が連通するとともに、前記パージ流路７０の途上には、パージ弁７２が設けられる。気液分離器６４の底部には、主に液体成分を含む流体を排出する排水流路７４の一端が接続される。排水流路７４の途上には、ドレイン弁７６が配設される。
【００３０】
燃料ガス供給装置１４は、アノード流路の水素ガス圧力を検出するために、例えば、水素ガス供給路５２に水素ガス入口４４ａの近傍に位置してアノード圧力センサ７７を備え、前記アノード圧力センサ７７の検出信号が制御部２２に送られる。
【００３１】
酸化剤ガス供給装置１６は、大気からの空気を圧縮して供給するエアポンプ（例えば、ターボ型コンプレッサ）７８を備え、前記エアポンプ７８が空気供給路８０に配設される。空気供給路８０は、燃料電池スタック１２に空気を供給する。
【００３２】
空気供給路８０は、エアポンプ７８の下流側に位置して供給側開閉弁（入口封止弁）８２ａ及び加湿器８４を配設するとともに、燃料電池スタック１２の空気入口４６ａに連通する。空気供給路８０には、加湿器８４を跨いでバイパス供給路８６が接続される。バイパス供給路８６には、開閉弁８８が設けられる。
【００３３】
燃料電池スタック１２の空気出口４６ｂには、空気排出路９０が連通する。空気排出路９０には、供給空気と排出空気との間で水分及び熱を交換する加湿器８４、排出側開閉弁（出口封止弁）８２ｂ及び背圧弁９２が配設される。空気排出路９０は、カソード電極３６で少なくとも一部が使用された空気である排出空気を、燃料電池スタック１２から排出する。空気排出路９０の下流には、パージ流路７０の他端及び排水流路７４の他端が接続され、希釈部を構成する。
【００３４】
空気供給路８０と空気排出路９０とには、供給側開閉弁８２ａの上流側と排出側開閉弁８２ｂの下流側及び背圧弁９２の下流側とに位置して、バイパス流路９４の両端が連通する。バイパス流路９４には、前記バイパス流路９４を流通する空気の流量を調整するＢＰ流量調整弁９６が配設される。空気供給路８０と空気排出路９０とには、供給側開閉弁８２ａの下流側及び排出側開閉弁８２ｂの上流側に位置して、空気循環流路９８が連通する。空気循環流路９８には、循環ポンプ１００が配置される。循環ポンプ１００は、空気排出路９０に排出された排出空気を、空気循環流路９８を通って空気供給路８０に循環させる。
【００３５】
酸化剤ガス供給装置１６は、カソード流路の空気圧力を検出するために、例えば、空気供給路８０の任意の位置、又は、空気排出路９０の任意の位置に、カソード圧力センサ１０１を備える。カソード圧力センサ１０１の検出信号は、制御部２２に送られる。
【００３６】
冷却媒体供給装置１８は、燃料電池スタック１２の冷却媒体入口４８ａに接続される冷却媒体供給路１０２を備え、前記冷却媒体供給路１０２の途上には、水ポンプ１０４が配置される。冷却媒体供給路１０２は、ラジエータ１０６に接続されるとともに、前記ラジエータ１０６には、冷却媒体出口４８ｂに連通する冷却媒体排出路１０８が接続される。
【００３７】
このように構成される燃料電池システム１０の動作について、以下に説明する。
【００３８】
燃料ガス供給装置１４では、水素タンク５０から水素ガス供給路５２に水素ガスが供給される。この水素ガスは、インジェクタ５４及びエゼクタ５６を通って燃料電池スタック１２の水素ガス入口４４ａに供給される。水素ガスは、水素ガス入口４４ａから水素ガス流路３８に導入され、前記水素ガス流路３８に沿って移動することにより電解質膜・電極構造体２６のアノード電極３４に供給される。
【００３９】
酸化剤ガス供給装置１６では、エアポンプ７８の回転作用下に、空気供給路８０に空気が送られる。この空気は、加湿器８４を通って加湿された後、燃料電池スタック１２の空気入口４６ａに供給される。空気は、空気入口４６ａから空気流路４０に導入され、前記空気流路４０に沿って移動することにより電解質膜・電極構造体２６のカソード電極３６に供給される。
【００４０】
従って、各電解質膜・電極構造体２６では、アノード電極３４に供給される水素ガスと、カソード電極３６に供給される空気中の酸素とが、電極触媒層内で電気化学反応により消費されて発電が行われる。
【００４１】
また、冷却媒体供給装置１８では、水ポンプ１０４の作用下に、冷却媒体供給路１０２から燃料電池スタック１２の冷却媒体入口４８ａに純水やエチレングリコール、オイル等の冷却媒体が供給される。冷却媒体は、冷却媒体流路４２に沿って流動し、発電セル２４を冷却した後、冷却媒体出口４８ｂから冷却媒体排出路１０８に排出される。
【００４２】
次いで、アノード電極３４に供給されて一部が消費された水素ガス（水素排ガス）は、水素ガス出口４４ｂから水素ガス排出路６２に排出される。水素排ガスは、水素ガス排出路６２から水素循環流路６６に導入され、エゼクタ５６の吸引作用下に水素ガス供給路５２に循環される。水素ガス排出路６２に排出された水素排ガスは、必要に応じて、パージ弁７２の開放作用下に希釈部に排出（パージ）される。
【００４３】
同様に、カソード電極３６に供給されて一部が消費された空気（排出空気）は、空気出口４６ｂから空気排出路９０に排出される。排出空気は、加湿器８４を通って空気供給路８０から供給される新たな空気を加湿するとともに、背圧弁９２の設定圧力に調整された後、希釈部に排出される。なお、空気排出路９０に排出された空気は、必要に応じて、循環ポンプ１００の作用下に空気循環流路９８を通って空気供給路８０に循環する。
【００４４】
次いで、本実施形態に係る燃料電池システム１０の運転制御方法について、図２及び図３に示すタイムチャートに沿って、以下に説明する。
【００４５】
まず、例えば、イグニッションスイッチがＯＮされることにより、制御部２２に起動信号が入力される。このため、燃料電池システム１０が起動され、例えば、燃料電池コンタンクタ（図示せず）がＯＮされ、水素ガス量（燃料ガス量）及び空気量（酸化剤ガス量）が設定される。
【００４６】
そこで、図２に示すように、燃料電池システム１０が起動されると、燃料電池スタック１２に供給される水素ガスの供給圧力（アノード圧力）が、通常運転時のアノード圧力（従来）よりも上昇される。
【００４７】
従って、アノード圧力の上昇により、水素ガスのストイキ（アノードストイキ）を確保することができ、電流制限は、従来の電流制限よりも高くなっている。燃料電池スタック１２から取り出し可能な電流値が、従来よりも大きくなるからである。
【００４８】
さらに、起動処理である起動パージ、すなわち、アノード側の水素ガス置換が行われている間、燃料電池スタック１２に供給される水素ガス中の不純物濃度が低下していく。この不純物濃度が低下するのに伴って、電流制限が高くなっている。換言すれば、不純物濃度が低い程、あるいは、水素ガス濃度が高い程、電流制限を緩和させている。
【００４９】
次に、起動パージが終了した後（起動完了後）、アノード圧力が低下する。このため、目標電流値に応じて下降され、通常運転条件に移行する際、レートリミットを設けることにより、前記アノード圧力の急激な変動を抑制することが好ましい。通常運転時には、水素ガスの供給量に基づいて、燃料電池スタック１２から電流を引くための電流指令値に電流制限がかけられる。目標電流値に電流制限がかけられると、圧力指令値も小さくなってアノード圧力を上げることができないからである。
【００５０】
一方、燃料電池システム１０の起動直後には、水素ガスの圧力に応じて、運転条件（ガス流量及びガス圧力）を算出するための目標電流値に電流制限がかけられる。これにより、図３に示すように、燃料電池スタック１２に供給される空気の流量（エア流量）は、前記燃料電池スタック１２に供給される水素ガスの流量に対応した適正なエア流量と同一になる。
【００５１】
さらに、起動直後において、水素ガスの供給流量による目標電流値の電流制限には、レートリミットが設けられる。水素ガスの供給流量は、インジェクタ５４（又はＢＰインジェクタ６０）の動作に伴って脈動している。このため、電流制限値の変化をなだらかにすることにより、電流制限の脈動を低減させることができる。
【００５２】
また、図２に示す電流制限の制御に代えて、図４に示す電流制限を行うことができる。起動処理である起動パージ中には、アノード圧力の上昇に伴って電流制限が高く設定されており、前記起動パージが終了した際に、不純物濃度の低下が完了したと判断する。そして、アノード圧力が、目標電流値に応じて下降され、通常運転条件に移行する。その際、レートリミットを設けることにより、アノード圧力の急激な変動を抑制することが好ましい。
【００５３】
この場合、本実施形態では、図２に示すように、燃料電池システム１０の起動時には、燃料電池スタック１２に供給される水素ガスの供給圧力（アノード圧力）が、通常運転時の前記水素ガスの供給圧力よりも上昇されている。従って、水素ガスのストイキを確保することができ、燃料電池スタック１２から所望の電流値を素早く取り出すことが可能になる。
【００５４】
しかも、水素ガスの圧力に応じて、運転条件（ガス流量及びガス圧力）を算出するための目標電流値に電流制限がかけられている。従って、図３に示すように、空気が過剰に供給されることがなく、燃料電池スタック１２の過乾燥状態（ドライアップ）を確実に抑制することができる。
【００５５】
ここで、図５には、電流指令値に電流制御をかける従来制御によるタイムチャートが示されている。従来制御では、燃料電池スタック１２に供給される水素ガスの流量に対応した電流指令値に、電流制限がかけられるため、前記燃料電池スタック１２から引かれる電流値が制限されている。
【００５６】
しかしながら、目標電流値は、高く設定されており、燃料電池スタック１２には、前記目標電流値に対応した流量の空気が供給されている。このため、燃料電池システム１０の起動直後では、燃料電池スタック１２に供給される空気流量は、適正な空気流量よりも多く、すなわち、過剰になってしまう（図４中、過剰領域Ｓ参照）。従って、燃料電池スタック１２の過乾燥状態（ドライアップ）が惹起されるとともに、アノード流路側とカソード流路側との極間差圧が過大となるおそれがある。
【００５７】
また、本実施形態では、燃料電池システム１０の起動直後には、水素ガスの供給流量に応じて目標電流値の電流制限を行う際、前記電流制限にレートリミットが設けられている。これにより、インジェクタ５４（又はＢＰインジェクタ６０）の動作に伴う脈動の影響を削減させることができ、運転制御が安定して遂行される。
【００５８】
さらに、燃料電池システムの起動完了後で、目標電流値に対する電流制限から、燃料電池スタック１２より電流を引くための電流指令値に対する電流制限に変更される際、レートリミットが設けられている。このため、アノード圧力の急激な変化を抑制することが可能になる。
【００５９】
さらにまた、水素ガスの圧力が高い程、不純物濃度が低い程、又は前記水素ガスの濃度が高い程、電流制限を緩和させている。従って、目標電流値を有効に高く設定することができる。
【００６０】
また、燃料電池システム１０の通常運転時には、水素ガスの圧力に基づいて、燃料電池スタック１２から電流を引くための電流指令値に電流制限がかけられている。通常運転時には、目標電流値に電流制限がかけられないため、ガス環境を迅速に整えることができ、その後の出力加速に容易且つ確実に対応することが可能になる。
【符号の説明】
【００６１】
１０…燃料電池システム              １２…燃料電池スタック
１４…燃料ガス供給装置              １６…酸化剤ガス供給装置
１８…冷却媒体供給装置              ２０…バッテリ
２２…制御部                        ２４…発電セル
２６…電解質膜・電極構造体          ２８、３０…セパレータ
３２…固体高分子電解質膜            ３４…アノード電極
３６…カソード電極                  ３８…水素ガス流路
４０…空気流路                      ５０…水素タンク
５２…水素ガス供給路                ７７、１０１…圧力センサ
７８…エアポンプ                    ８０…空気供給路
８２ａ…供給側開閉弁                ８２ｂ…排出側開閉弁
８４…加湿器                        ９０…空気排出路
９２…背圧弁                        ９４…バイパス流路
９６…ＢＰ流量調整弁                ９８…空気循環流路
１００…循環ポンプ
【図１】
0006315714.tif 000002
【図２】
0006315714.tif 000003
【図３】
0006315714.tif 000004
【図４】
0006315714.tif 000005
【図５】
0006315714.tif 000006